(57)【特許請求の範囲】
【請求項１】
基板を支持する基板支持手段と、前記基板支持手段によって支持された前記基板に薬液を供給する薬液供給手段とを備え、前記薬液の供給によって前記基板に対して所定の処理を施す基板処理装置であって、
使用済の前記薬液を排出するための複数の排出通路と、
前記薬液の種類に応じて、前記複数の排出通路のうち、所定の前記排出通路を選択して、使用済の前記薬液を選択された前記排出通路へ導くための排出通路選択手段と、
前記基板支持手段を所定の速度で回転駆動するための回転駆動手段と、
複数の前記排出通路にそれぞれ連通され、前記基板を囲むように断面略同心円状に配置された複数の層状通路を形成するための複数の隔壁部とを備え、
最外周の前記層状通路を除く前記層状通路を形成する外周側の前記隔壁部の少なくとも上部は、前記基板支持手段の回転軸に沿って、所定の範囲で変位可能で、当該層状通路の入口をシールを介して塞ぐ蓋部を有する可動壁とされ、
前記排出通路選択手段は、
各前記可動壁を、前記基板の回転によって側方へ飛散した前記薬液を受けて前記蓋部の直下の前記層状通路への前記薬液の流入を可能とし、かつ、外周側に隣接する前記層状通路への前記薬液の到達を妨げる導入位置と、前記蓋部によって前記蓋部の直下の前記層状通路の入口を前記シールを介して塞ぎ、かつ、前記蓋部の上方を飛散した前記薬液を外周側へ向けて通過させる閉鎖位置とのうち、いずれか一方の位置に変位させることによって、前記薬液の種類に応じて、所定の前記排出通路を選択する構成とされ、
前記薬液供給手段は、
それぞれ、異なる種類の前記薬液を噴出又は滴下させるための複数のノズルを有し、前記排出通路選択手段によって、前記ノズルから噴出又は滴下される前記薬液の種類に応じて、前記薬液の前記排出通路が選択されることを特徴とする基板処理装置。
【請求項２】
複数の前記排出通路に連通され、分別された状態で前記薬液を回収する薬液回収手段を備えたことを特徴とする請求項１記載の基板処理装置。
【発明の詳細な説明】
【技術分野】
【０００１】
この発明は、基板処理装置に係り、例えば、シリコン基板等の半導体基板やガラス基板に対して成膜処理や現像処理、洗浄処理等の所定の処理を施すために用いられる基板処理装置に関する。
【背景技術】
【０００２】
従来より、シリコン基板等の処理対象の基板に薬液を供給して、薬液による基板の洗浄や、基板への薬液の塗布等を行うために、回転式の基板処理装置（スピナ）が用いられている（例えば、特許文献１参照。）。
この基板処理装置１０１は、図９に示すように、容器１０２内に収容され、基板Ｓを真空吸着によって支持する基板チャック１０３と、基板チャック１０３を回転駆動するための回転駆動部１０４と、基板Ｓに薬液を供給するためのノズル１０５を含む薬液供給部とを備えてなっている。
【０００３】
容器１０２の外壁部１０６は、薬液の飛散を防止するために、基板Ｓを支持している基板チャック１０３を取り囲むようにカップ状に形成されている。また、容器１０２の底部には廃液貯留部１０７が形成され、廃液貯留部１０７の底部の所定の部位には、薬液を排出するための排出管１０８が接続されている。
基板チャック１０３は、上面に平面状の吸着面が形成され、複数の吸着用孔を経由してエジェクタに到る吸気経路に沿って吸気が行われることによって基板Ｓの吸着が行われる。
【０００４】
回転駆動部１０４は、ＡＣサーボモータを有し、基板チャック１０３を所定の回転数で回転させる。
薬液供給部は、薬液が基板Ｓへ向けて滴下されるノズル１０５と、ノズル１０５へ薬液を送る薬液供給ポンプ（不図示）とを有している。
【特許文献１】特開２００４−１６８８７号公報
【発明の開示】
【発明が解決しようとする課題】
【０００５】
解決しようとする問題点は、上記従来技術では、種類の異なる薬液を用いる場合に、使用済の薬液を種類毎に分離して別々に回収することができず、再利用が困難であるという点である。
例えば、ノズルを２つ配置して、異なる２種類の薬液を連続して基板に供給するような場合に、使用済みの２種類の薬液は、排出管から混合された状態で排出され、種類の異なる薬液を分離して別々に回収することができない。
【０００６】
この発明は、上述の事情に鑑みてなされたもので、使用済みの種類の異なる薬液が混合されることなく、分離された状態で回収することができ、簡単に再利用することができる基板処理装置を提供することを目的としている。
【課題を解決するための手段】
【０００７】
上記課題を解決するために、請求項１記載の発明は、基板を支持する基板支持手段と、前記基板支持手段によって支持された前記基板に薬液を供給する薬液供給手段とを備え、前記薬液の供給によって前記基板に対して所定の処理を施す基板処理装置に係り、使用済の前記薬液を排出するための複数の排出通路と、前記薬液の種類に応じて、前記複数の排出通路のうち、所定の前記排出通路を選択して、使用済の前記薬液を選択された前記排出通路へ導くための排出通路選択手段と、前記基板支持手段を所定の速度で回転駆動するための回転駆動手段と、複数の前記排出通路にそれぞれ連通され、前記基板を囲むように断面略同心円状に配置された複数の層状通路を形成するための複数の隔壁部とを備え、最外周の前記層状通路を除く前記層状通路を形成する外周側の前記隔壁部の少なくとも上部は、前記基板支持手段の回転軸に沿って、所定の範囲で変位可能で、当該層状通路の入口をシールを介して塞ぐ蓋部を有する可動壁とされ、前記排出通路選択手段は、各前記可動壁を、前記基板の回転によって側方へ飛散した前記薬液を受けて前記蓋部の直下の前記層状通路への前記薬液の流入を可能とし、かつ、外周側に隣接する前記層状通路への前記薬液の到達を妨げる導入位置と、前記蓋部によって前記蓋部の直下の前記層状通路の入口を前記シールを介して塞ぎ、かつ、前記蓋部の上方を飛散した前記薬液を外周側へ向けて通過させる閉鎖位置とのうち、いずれか一方の位置に変位させることによって、前記薬液の種類に応じて、所定の前記排出通路を選択する構成とされ、前記薬液供給手段は、それぞれ、異なる種類の前記薬液を噴出又は滴下させるための複数のノズルを有し、前記排出通路選択手段によって、前記ノズルから噴出又は滴下される前記薬液の種類に応じて、前記薬液の前記排出通路が選択されることを特徴としている。
【０００９】
また、請求項２記載の発明は、請求項１記載の基板処理装置に係り、複数の前記排出通路に連通され、分別された状態で前記薬液を回収する薬液回収手段を備えたことを特徴としている。
【発明の効果】
【００１０】
この発明の構成によれば、排出通路選択手段によって、ノズルから噴出又は滴下される薬液の種類に応じて、薬液の排出通路が選択されるので、使用済みの種類のことなる薬液が混合されることなく、薬液を分離された状態で回収することができ、簡単に再利用することができる。
【発明を実施するための最良の形態】
【００１１】
排出通路選択手段によって、ノズルから噴出又は滴下される薬液の種類に応じて、薬液の排出通路が選択され、使用済みの種類のことなる薬液が混合されることなく、薬液を分離された状態で回収することができ、簡単に再利用するという目的を実現した。
【実施例１】
【００１２】
図１及び図２は、この発明の第１の実施例である基板処理装置の構成を示す断面図、図３は、同基板処理装置の構成を示す平面図、図４は、同基板処理装置の構成を示すブロック図、図５及び図６は、同基板処理装置の動作を説明するための説明図、また、図７は、同基板処理装置を用いた基板処理方法を説明するための工程図である。
【００１３】
この例の基板処理装置１は、シリコン基板等の処理対象の基板Ｓに薬液を供給して、薬液による基板Ｓの洗浄や、基板Ｓへの薬液の塗布等を行うための回転式の基板処理装置（スピナ）であって、図１乃至図４に示すように、容器２内に収容され、基板Ｓを真空吸着によって支持する基板チャック３と、基板チャック３を回転駆動する基板チャック駆動部４と、基板Ｓに、例えば２種類の薬液を供給するための薬液供給部５と、使用済の薬液を対応する排出管６ａ，６ｂに導いて、薬液を種類別に回収するための薬液排出経路切換部７と、構成各部を制御するコントローラ８とを備えてなっている。但し、図３は、基板処理装置１の基板Ｓを除いた状態を示している。
【００１４】
容器２の外壁部１１は、薬液の飛散を防止するために、基板Ｓを支持している基板チャック３を取り囲むようにカップ状に形成されている。また、容器２の底部には廃液貯留部１２ａ，１２ｂが形成され、廃液貯留部１２ａ，１２ｂの底部の所定の部位には、それぞれ、薬液を排出するための排出管６ａ，６ｂが接続されている。
廃液貯留部１２ａ，１２ｂは、基板チャック３の回転軸と回転対称軸が共通の断面円環状の略円筒形状を呈し、廃液貯留部１２ａが，廃液貯留部１２ｂの外周側に上記回転対称軸を共通とするように配置された二層構造とされている。
【００１５】
ここで、廃液貯留部１２ａの外壁部１２ｐは、容器２の外壁部１１の下部領域と共通とされ、廃液貯留部１２ｂの内壁部１２ｑの上部には、基板チャック３の回転軸を囲むように、逆漏斗形状（漏斗を伏せた形状）の薬液受け部材１３が連接されている。
なお、薬液受け部材１３の上部には、水平面に対して外周側へ向けて下方に所定の傾斜角で傾斜したフランジ部１３ａが形成され、このフランジ部１３ａの上面に薬液が吹き付けられても薬液を外周側へ向けて流下させて、薬液の基板チャック３の回転軸側への侵入が防止されるように構成されている。
また、廃液貯留部１２ａの内壁部と廃液貯留部１２ｂの外壁部とは、共通とされ、仕切壁部１２ｒとされている。
【００１６】
また、廃液貯留部１２ａ，１２ｂの底面１４ａ，１４ｂは、排出管６ａ，６ｂの入口へ向けて薬液が流下するように水平面に対して傾斜するように形成されている。
基板チャック３は、上面に平面状の吸着面３ａが形成され、複数の吸着用孔を経由してエジェクタに到る吸気経路に沿って吸気が行われることによって基板Ｓの吸着が行われる。
基板チャック駆動部４は、ＡＣサーボモータを有し、基板チャック３を所定の回転数（例えば、数十ｒｐｍ〜数千ｒｐｍ）で回転させる。
【００１７】
薬液供給部５は、それぞれ、異なる種類の薬液が基板Ｓへ向けて滴下されるノズル１５ａ，１５ｂと、ノズル１５ａ，１５ｂへ対応する種類の薬液を送る薬液供給ポンプ（不図示）と、ノズル１５ａ，１５ｂを変位させるノズル駆動部１６とを有している。
ノズル駆動部１６は、両先端部にノズル１５ａ，１５ｂが所定の離隔を保って取り付けている例えばＵ字状のアーム（不図示）と、このアームの根元部を通る鉛直方向に沿った回動軸の周りに所定の角度範囲でアームを回動させる例えばステッピングモータとを有し、アームの回動によって、ノズル１５ａ，１５ｂのうち、一方が基板Ｓの中央部へ向けて薬液の滴下が可能な滴下位置に配置されると、同時に他方が退避位置に配置されるように構成されている。
【００１８】
薬液排出経路切換部７は、それぞれ、ノズル１５ａ，１５ｂから滴下される薬液の種類に応じて、薬液の飛散を防止させると共に、薬液の排出経路を切り替えて、薬液を種類毎に別々に回収するために設けられ、鉛直方向に沿って変位可能なように配置され、配置位置に応じて、使用済の薬液を対応する排出管６ａ，６ｂに導く薬液案内カップ１７と、作動棒１８及び作動アーム１９を介して薬液案内カップ１７の鉛直方向に沿った駆動を行うためのシリンダアクチュエータ２１を有している。
作動アーム１９は、後端部がシリンダアクチュエータ２１のピストンと共に鉛直方向に沿って変位し、作動アーム１９に垂下状態に取り付けられた作動棒１８，１８，１８を鉛直方向に沿って変位させる。薬液案内カップ１７は、作動棒１８，１８，１８によって吊り下げられ、鉛直方向に沿って変位する。
【００１９】
薬液案内カップ１７は、シリンダアクチュエータ２１によって、鉛直方向に沿って変位するようにに駆動され、その配置位置（下位配置位置（閉鎖位置）、又は上位配置位置（導入位置））に応じて、薬液を排出管６ａ又は排出管６ｂへ導く。
薬液案内カップ１７は、深底のカップを伏せた形状の容器の頂部に開口１７ｓが形成された形状を呈し、それぞれ水平面に対する傾斜角が異なる傾斜部１７ｐ，１７ｑ，１７ｒからなる頂部１７ａと、外壁部１７ｋと内壁部１７ｍとの間に仕切壁１２ｒが挿入される隙間部１７ｔが形成された二重壁部１７ｂとを有している。
【００２０】
隙間部１７ｔに仕切壁１２ｒが挿入されることによって、薬液案内カップ１７の鉛直方向に沿った変位にかかわらず、排出管６ａへ向かう流路と、排出管６ｂへ向かう流路とが交差して異なる種類の薬液が混合されることが回避される。
この例では、傾斜部１７ｐの傾斜角は、フランジ部１３ａの傾斜角と略同一とされ、下位配置位置では、傾斜部１７ｐとフランジ部１３ａとの端部同士がＯリングＧを介して互いに押し付け合うように重なり、傾斜部１７ｐとフランジ部１３ａとの重合部位を介した、薬剤の排出管６ｂ側への流下が回避される。
【００２１】
薬液排出経路切換部７において、図１及び図２に示すように、ノズル１５ａが滴下位置に配置される場合は、薬液案内カップ１７は、薬液受け部材１３にＯリングＧを介して接触する下位配置位置に配置され、ノズル１５ａから滴下されて例えば飛散した使用済の薬液は、例えば、容器２の外壁部１１の上部領域の内壁面と、廃液貯留部１２ａの外壁部１２ｐの内壁面と、薬液受け部材１３の頂部１７ａの外壁面及び外壁部１７ｋの外壁面とに沿って流下して、排出管６ａへ導かれる。
【００２２】
また、薬液排出経路切換部７において、図５及び図６に示すように、ノズル１５ｂが滴下位置に配置される場合は、薬液案内カップ１７は、薬液受け部材１３から離反して、その上端が容器２の外壁部１１の上端近傍に位置する上位配置位置に配置され、ノズル１５ｂから滴下されて例えば飛散した使用済の薬液は、例えば、薬液受け部材１３の頂部１７ａの内壁面及び内壁部１７ｍの内壁面と、廃液貯留部１２ｂの仕切壁１２ｒの内壁面と、薬液受け部材１３の外壁面と、廃液貯留部１２ｂの内壁部１２ｑの内壁面とに沿って流下して、排出管６ｂへ導かれる。
シリンダアクチュエータ２１は、エアシリンダと、エアシリンダの上昇用及び下降用のエアを導入するための電磁弁とを有している。
【００２３】
コントローラ８は、図４に示すように、ＣＰＵ（中央処理装置）等を有してなる主制御部２３と、主制御部２３が実行する処理プログラムや各種データ等を記憶するための記憶部２４と、操作部２５と、表示部２６と、ノズル駆動部１６を構成するモータを制御駆動するためのモータ駆動部２７と、シリンダアクチュエータ２１を構成する電磁弁を制御する電磁弁制御部２８とを備えたコンピュータ等の情報処理装置によって構成されている。
主制御部２３は、記憶部に記憶された各種処理プログラムを実行し、記憶部２４に確保された各種レジスタやフラグを用いて、構成各部を制御し、薬液排出経路切換制御処理等を実行する。
【００２４】
主制御部２３は、薬液排出経路切換制御処理では、モータ駆動部２７を介してノズル駆動部１６を制御して、ノズル１５ａを滴下位置に配置させると、電磁弁制御部２８を介してシリンダアクチュエータ２１を制御して、薬液案内カップ１７が上位配置位置に配置されている場合は、薬液案内カップ１７を下降させて下位配置位置に変位させ、ＯリングＧを介して薬液受け部材１３に接触させる。
この状態で、主制御部２３は、モータ駆動部２７を介して基板チャック駆動部４を制御して、基板チャック駆動部４を所定の回転数で回転させながら、ノズル１５ａから所定の濃度の薬液を所定時間滴下させる。
【００２５】
これによって、ノズル１５ａから滴下されて例えば飛散した使用済の薬液は、例えば、容器２の外壁部１１の上部領域の内壁面と、廃液貯留部１２ａの外壁部１２ｐの内壁面と、薬液受け部材１３の頂部１７ａの外壁面及び外壁部１７ｋの外壁面とに沿って流下して、排出管６ａへ導かれる。
また、主制御部２３は、薬液排出経路切換制御処理で、モータ駆動部２７を介してノズル駆動部１６を制御して、ノズル１５ｂを滴下位置に配置させると、電磁弁制御部２８を介してシリンダアクチュエータ２１を制御して、薬液案内カップ１７を、薬液受け部材１３から離反させて、上位配置位置に変位させ、薬液案内カップ１７の上端が容器２の外壁部１１の上端近傍に位置するように配置する。
【００２６】
この状態で、主制御部２３は、モータ駆動部２７を介して基板チャック駆動部４を制御して、基板チャック駆動部４を所定の回転数で回転させながら、ノズル１５ｂから所定の濃度の薬液を所定時間滴下させる。
これによって、ノズル１５ｂから滴下されて例えば飛散した使用済の薬液は、例えば、薬液受け部材１３の頂部１７ａの内壁面及び内壁部１７ｍの内壁面と、廃液貯留部１２ｂの仕切壁１２ｒの内壁面と、薬液受け部材１３の外壁面と、廃液貯留部１２ｂの内壁部１２ｑの内壁面とに沿って流下して、排出管６ｂへ導かれる。
【００２７】
記憶部２４は、内部記憶装置と、外部記憶装置とからなり、主制御部２３が実行する薬液排出経路切換制御処理プログラム等の各種処理プログラム等が記憶されたプログラム記憶領域と、各種設定情報等の各種情報が記憶される情報記憶領域とを有している。
内部記憶装置は、ＲＯＭやＲＡＭ等の半導体メモリからなる。外部記憶装置は、ＦＤ（フレキシブル・ディスク）が装着されるＦＤドライバ、ＨＤ（ハード・ディスク）が装着されるＨＤドライバ、ＭＯ（光磁気）ディスクが装着されるＭＯディスクドライバ、あるいはＣＤ（コンパクト・ディスク）−ＲＯＭ、ＣＤ−Ｒ（Recordable）、ＣＤ−ＲＷ（ReWritable）やＤＶＤ（デジタル・ビデオ・ディスク）−ＲＯＭ、ＤＶＤ−Ｒ、ＤＶＤ−ＲＷ等が装着されるＣＤ／ＤＶＤドライバ等からなる。
また、操作部２５は、キーボードやマウス等からなる。表示部２６は、ＣＲＴディスプレイ、液晶ディスプレイ、あるいはプラズマディスプレイなどからなる。
【００２８】
次に、図１乃至図７を参照して、この例の基板処理装置１の動作について説明する。
この基板処理装置１を用いて、例として、電極配線パターンを形成する際に用いられる所謂リフトオフ法を実施する場合について述べる。
まず、基板処理装置１に、シリコン基板３１上に、金属膜（アルミニウム膜等）３２が形成された被処理体３３を導入する。
【００２９】
この被処理体３３は、シリコン基板３１上に酸化シリコン膜３４を介して所定のパターンのレジスト層３５が形成された後（図７（ａ））、金属膜３２が全面に蒸着等によって積層されて製造される（図７（ｂ））。
金属膜３２は、酸化シリコン膜３４上と、レジスト層３５上とに形成されている。ここで、レジスト層３５は、オーバーハング（アンダーカット）形状に形成される。
【００３０】
主制御部２３は、薬液排出経路切換制御処理では、図１乃至図４に示すように、モータ駆動部２７を介してノズル駆動部１６を制御して、ノズル１５ａを滴下位置に配置させると、電磁弁制御部２８を介してシリンダアクチュエータ２１を制御して、薬液案内カップ１７が上位配置位置に配置されている場合は、薬液案内カップ１７を下降させて下位配置位置に変位させ、ＯリングＧを介して接触させる。
この状態で、主制御部２３は、モータ駆動部２７を介して基板チャック駆動部４を制御して、基板チャック駆動部４を所定の回転数で回転させながら、ノズル１５ａから所定の濃度の薬液としての剥離液（例えば、ＮＭＰ（N-Methylpyrrolidone）やアセトン）を所定時間滴下させる。
【００３１】
これによって、レジスト層３５が剥離され、レジスト層３５上に形成された金属膜３２が除去される。一方、シリコン基板３１上に形成された電極配線パターンとしての金属膜３２は残存する（図７（ｃ））。
ノズル１５ａから滴下されて例えば飛散した使用済の剥離液は、例えば、容器２の外壁部１１の上部領域の内壁面と、廃液貯留部１２ａの外壁部１２ｐの内壁面と、薬液受け部材１３の頂部１７ａの外壁面及び外壁部１７ｋの外壁面とに沿って流下して、排出管６ａへ導かれる。
【００３２】
また、主制御部２３は、図４乃至図６に示すように、モータ駆動部２７を介してノズル駆動部１６を制御して、ノズル１５ｂを滴下位置に配置させると、電磁弁制御部２８を介してシリンダアクチュエータ２１を制御して、薬液案内カップ１７を、薬液受け部材１３から離反させて、上位配置位置に変位させ、薬液案内カップ１７の上端が容器２の外壁部１１の上端近傍に位置するように配置する。
この状態で、主制御部２３は、モータ駆動部２７を介して基板チャック駆動部４を制御して、基板チャック駆動部４を所定の回転数で回転させながら、ノズル１５ｂから薬液としての先浄液（例えば、純水）を所定時間滴下させる。
【００３３】
これによって、先浄液によって、基板上に残存した不用なレジストや金属屑の残滓が先浄液と共に洗い流される。
ノズル１５ｂから滴下されて例えば飛散した使用済の先浄液は、例えば、薬液受け部材１３の頂部１７ａの内壁面及び内壁部１７ｍの内壁面と、廃液貯留部１２ｂの仕切壁１２ｒの内壁面と、薬液受け部材１３の外壁面と、廃液貯留部１２ｂの内壁部１２ｑの内壁面とに沿って流下して、排出管６ｂへ導かれる。
排出管６ａから排出された剥離液と、排出管６ｂから排出された洗浄液とは、混合されることなく、それぞれ、濾過処理後、薬液回収手段としての薬液回収部（不図示）によって別々に回収されて再利用される。
【００３４】
このように、この例の構成によれば  主制御部２３は、ノズル駆動部１６を制御して、ノズル１５ａを滴下位置に配置させると、シリンダアクチュエータ２１を制御して、薬液案内カップ１７を下位配置位置に変位させ、ＯリングＧを介して薬液受け部材１３に接触させて、ノズル１５ａから滴下されて例えば飛散した使用済の薬液が、廃液貯留部１２ａを経由して排出管６ａへ導かれるようにし、ノズル１５ｂを滴下位置に配置させると、シリンダアクチュエータ２１を制御して、薬液案内カップ１７を、薬液受け部材１３から離反させて、上位配置位置に変位させて、ノズル１５ｂから滴下されて例えば飛散した使用済の薬液が、廃液貯留部１２ｂを経由して排出管６ｂへ導かれるようにするので、使用済みの２数類の薬液が混合されることなく、分離された状態で回収することができ、簡単に再利用することができる。
【実施例２】
【００３５】
この例が上述した第１の実施例と大きく異なるところは、基板処理装置を現像工程で用いる点である。
これ以外の構成は、上述した第１の実施例の構成と略同一であるので、その説明を簡略にする。
この例では、基板処理装置１に、シリコン基板上に露光済のレジスト層が形成されてなる被処理体を導入する。次に、薬液案内カップ１７を下位配置位置に配置させて、ノズル１５ａから現像液（例えば、ＴＭＡＨ（tetramethylammoniumhydroxide））を滴下させて、未露光部分を現像液に溶出させる。
次に、薬液案内カップ１７を上位配置位置に配置させて、ノズル１５ｂからリンス液（例えば、純水）を滴下させて、リンス液により現像液を洗浄する。
【００３６】
この例の構成によれば、上述した第１の実施例と略同様の効果を得ることができる。
【００３７】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、基板処理装置としてスピナに適用する場合について述べたが、被処理体としての基板を必ずしも回転させない場合にも適用できる。この場合、基板をステージに載置するのみとして、必ずしも吸着させることはない。
【００３８】
また、薬液の滴下は、スタティックディスペンス法によってもダイナミックディスペンス法によっても良い。また、薬液を滴下する場合に限らず、スプレーする場合にも適用できる。
また、半導体デバイスの製造のため以外に、基板として、例えば、光ディスク基板を処理して、光ディスクを製造する場合に適用できる。
【００３９】
また、２種類の薬液として、例えば、剥離液及び洗浄液等を用いる場合に限らず、例えば、レジスト塗布工程で用いるレジスト塗布前の基板の疎水化処理のためのＨＭＤＳ（ヘキサメチルジシラザン）及びレジスト等を用いる場合にも適用することができる。
また、薬液は、２数類に限らず、３種類以上のものを用いる場合にも適用できる。この場合は、薬液の種類数に応じて、排出管を３本以上設け、複数の飛散防止カップを層状に配置するようにする。
【００４０】
例えば、３種類の薬液（第１乃至第３の薬液）を種類別に回収するために、図８に示すように、薬液排出経路切換部７Ａを、共に可動壁としての内側薬液案内カップ４１及び外側薬液案内カップ４２を用いて構成する。
ここで、容器４３の外壁部４４の内壁面と、外側薬液案内カップ４２が配置される仕切壁部４５の外壁面との間に、第１の廃液貯留部４６を形成し、仕切壁部４５の内壁面と、内側薬液案内カップ４１が配置される仕切壁部４７の外壁面との間に、第２の廃液貯留部４８を形成し、仕切壁部４７の内壁面と、薬液受け部材４９の外壁面との間に第３の廃液貯留部５１を形成する。
【００４１】
内側薬液案内カップ４１、外側薬液案内カップ４２を鉛直方向に沿って、変位させることによって、薬液排出経路が切り換えられる。
例えば、同図（ａ）に示すように、内側薬液案内カップ４１及び外側薬液案内カップ４２を共に下位配置位置（閉鎖位置）に変位させることによって、第１の廃液貯留部４６を第１の薬液を流下させ、同図（ｂ）に示すように、内側薬液案内カップ４１を下位配置位置（閉鎖位置）、外側薬液案内カップ４２を上位配置位置（導入位置）に変位させることによって、第２の廃液貯留部４８を第２の薬液を流下させ、同図（ｃ）に示すように、内側薬液案内カップ４１及び外側薬液案内カップ４２を共に上位配置位置（導入位置）に変位させることによって、第３の廃液貯留部５１を第３の薬液を流下させることができる。
３種類の薬液を用いる例として、ＣＥＬ（コントラストエンハンスメント）法におけるパターン露光後の工程で用いるＣＥＬ膜剥離液、現像液及びリンス液を用いる場合等に適用することができる。
【００４２】
また、基板処理装置は、露光機能を備えていても良く、例えば、レジスト塗布工程から洗浄工程まで連続して、同一の基板処理装置で実施するようにしても良い。
また、ノズルを手動で変位させるようにしても良い。また、複数のノズルを、基板チャック（基板）中央部の上方に固定して配置するようにしても良い。
また、上述した薬液案内カップ１７や、内側薬液案内カップ４１及び外側薬液案内カップ４２は、シリンダアクチュエータ以外に、モータ等を用いて変位させても良いし、動力源を用いずに、手動で変位させるようにしても良い。
【００４３】
また、基板チャック（基板）の回転数と、薬液の濃度と、滴下時間とは、適宜変更が可能である。
また、薬液案内カップを固定して、基板チャックを上下に移動可能なように構成しても良い。また、容器の外壁部を鉛直方向に沿って可動として、高さ調節可能なように構成しても良い。また、容器には、蓋部を設けて、薬剤飛散防止機能を強化するようにしても良い。
【００４４】
また、薬液案内カップのシールをＯリングに代えて、例えば、嵌合可能な単一の又は連続する凹部と凸部との組み合わせによっても良い。
また、容器の形状は、円筒状に限らず、角筒状であっても良い。また、廃液貯留部の断面も円環状に限らず、角環状であっても良いし、排出管も円管であっても角管であっても良い。
また、同一種類の薬液を基板に供給する場合でも、途中で切り換えて、例えば清浄度に応じて廃液を分離して回収するようにしても良い。
【００４５】
なお、薬液は、例えばその濃度が異なる場合も異なる種類のものとして扱うことができる。
また、薬液の種類と排出管とは、１対１に対応している必要はなく、例えば、１種類の薬液が複数本の排出管を流下するようにしても良い。
【産業上の利用可能性】
【００４６】
処理対象の基板として、シリコン基板等の半導体基板のほか、例えば、透明なガラス基板を処理する場合に適用できる。
【図面の簡単な説明】
【００４７】
【図１】この発明の第１の実施例である基板処理装置の構成を示す断面図である。
【図２】同基板処理装置の構成を示す断面図である。
【図３】同基板処理装置の構成を示す平面図である。
【図４】同基板処理装置の構成を示すブロック図である。
【図５】同基板処理装置の動作を説明するための説明図である。
【図６】同基板処理装置の動作を説明するための説明図である。
【図７】同基板処理装置を用いた基板処理方法を説明するための工程図である。
【図８】この発明の第１の実施例の変形例である基板処理装置の動作を説明するための説明図である。
【図９】従来技術を説明するための説明図である。
【符号の説明】
【００４８】
１      基板処理装置
２      容器
３      基板チャック（基板支持手段）
４      基板チャック駆動部（回転駆動手段）
５      薬液供給部（薬液供給手段 ）
６ａ，６ｂ      排出管（排出通路）
７，７Ａ      薬液排出経路切換部
８      コントローラ
１２ａ，１２ｂ      廃液貯留部（層状通路）
１２ｐ      外壁部（隔壁部）
１２ｑ      内壁部（隔壁部）
１２ｒ      仕切壁部（隔壁部）
１５ａ，１５ｂ      ノズル
１６      ノズル駆動部
１７      薬液案内カップ
１７ａ      頂部（蓋部）
１７ｂ      二重壁部（可動壁）
２１      シリンダアクチュエータ（排出通路選択手段の一部）
２３      主制御部（排出通路選択手段の一部）
２４      記憶部
４１      内側薬液案内カップ
４２      外側薬液案内カップ
４５，４７      仕切壁部（隔壁部）
４６      第１の廃液貯留部（層状通路）
４８      第２の廃液貯留部（層状通路）
５１      第３の廃液貯留部（層状通路）
Ｓ      基板
【図１】
0004676272.tif 000002
【図２】
0004676272.tif 000003
【図３】
0004676272.tif 000004
【図４】
0004676272.tif 000005
【図５】
0004676272.tif 000006
【図６】
0004676272.tif 000007
【図７】
0004676272.tif 000008
【図８】
0004676272.tif 000009
【図９】
0004676272.tif 000010